(57)【要約】【課題】地上波デジタル放送の開始時期或いは地上波アナログ放送の停波後における視聴者の混乱を防ぐことが可能なテレビジョン放送受信装置の提供。【解決手段】テレビジョン放送受信装置は、デジタル放送受信部１９と、アナログ放送受信部２０と、ＣＰＵ１２と、サイマルチャンネルテーブルＤＢ１６を有するフラッシュメモリ１４とを具備する。ＣＰＵ１２が、デジタル放送受信部１９で受信したデジタル放送信号から取得した変更サイマルチャンネルテーブルデータをフラッシュメモリ１４のサイマルチャンネルテーブルＤＢ１６に取り込んでダウンロードし、フラッシュメモリ１４のサイマルチャンネルテーブルＤＢ１６に記憶したサイマルチャンネルテーブルデータを変更サイマルチャンネルテーブルデータに更新するデータ更新処理を行う。【選択図】        図１
2004320449.tif 000002
【特許請求の範囲】
【請求項１】
放送局からのデジタル放送信号及びアナログ放送信号を受信するサイマルテレビ放送用のテレビジョン放送受信装置であって、
前記デジタル放送信号を受信するデジタル放送受信手段と、前記アナログ放送信号を受信するアナログ放送受信手段と、装置全体の制御を行う制御手段と、前記デジタル放送の放送チャンネル及び前記デジタル放送の放送チャンネルと同一番組のサイマル放送を放送している前記アナログ放送の放送チャンネルを対応づけたサイマルチャンネルデータを記憶した記憶領域を有する書き換え可能な不揮発性記憶手段とを具備し、前記制御手段は、前記デジタル放送受信手段で受信した前記デジタル放送信号から変更サイマルチャンネルデータを取得し、取得した前記変更サイマルチャンネルデータを前記不揮発性記憶手段の記憶領域に取り込んでダウンロードし、前記不揮発性記憶手段の記憶領域に記憶した前記サイマルチャンネルデータを前記変更サイマルチャンネルデータに更新するデータ更新処理を行う機能を備えたことを特徴とするテレビジョン放送受信装置。
【請求項２】
さらに、上記不揮発性記憶手段の記憶領域に記憶した上記サイマルチャンネルデータを更新する変更サイマルチャンネルデータを外部から取り込むためのデータ通信接続可能な接続手段を具備し、上記制御手段は、外部から前記接続手段を経由して取り込んだ変更サイマルチャンネルデータを前記不揮発性記憶手段の記憶領域に記憶した前記サイマルチャンネルデータと書き換えて、前記不揮発性記憶手段の記憶領域に記憶した前記サイマルチャンネルデータを前記変更サイマルチャンネルデータに更新するデータ更新処理を行う機能を備えている請求項１に記載のテレビジョン放送受信装置。
【請求項３】
さらに、上記デジタル放送受信手段で受信したデジタル放送の映像信号或いは上記アナログ放送受信手段で受信したアナログ放送の映像信号を表示する表示手段と、前記表示手段の表示画面上に上記サイマル放送に関する情報をＯＳＤ表示させるＯＳＤ表示処理手段とを具備し、上記制御手段は、前記アナログ放送受信手段で受信したアナログ放送の放送チャンネルの選局後に、前記デジタル放送受信手段で前記アナログ放送の放送チャンネルと同一番組のサイマル放送中のデジタル放送信号を受信すると、前記ＯＳＤ表示処理手段を制御して、前記表示手段の表示画面上にサイマル放送中であることをメッセージにてＯＳＤ表示させる機能と、前記アナログ放送の放送チャンネルと同一番組のサイマル放送を行っているデジタル放送側の放送チャンネルに自動的に移行する機能とを備えている請求項１または２に記載のテレビジョン放送受信装置。
【請求項４】
上記制御手段は、上記アナログ放送の停波後に、前記アナログ放送の放送チャンネルの選局を試みた場合、上記ＯＳＤ表示処理手段を制御して、前記表示手段の表示画面上に前記アナログ放送の放送チャンネルと同一番組のサイマル放送を行っているデジタル放送側の放送チャンネルに移行するようにメッセージをＯＳＤ表示させる機能と、前記アナログ放送の放送チャンネルと同一番組のサイマル放送を行っていたデジタル放送側の放送チャンネルに自動的に移行する機能とを備えている請求項１乃至３のいずれかに記載のテレビジョン放送受信装置。
【発明の詳細な説明】
【０００１】
【発明の属する技術分野】
本発明は、例えば、デジタルテレビ放送及びアナログテレビ放送を受信することができるサイマルテレビ放送用のサイマル放送テレビジョン受信機等のテレビジョン放送受信装置に関する。
【０００２】
【従来の技術】
近年、地上波デジタルテレビ放送の開始に合わせて、地上波のアナログ放送とデジタル放送の双方が受信可能なテレビ受信装置の開発が進展しており、従来、例えば、アナログ放送信号とデジタル放送信号を受信する地上波放送受信装置が特許文献１に提案されている。
そして、デジタル放送は、従来のアナログ放送と比べて高品質の映像や音声を提供できるという利点がある。
【０００３】
【特許文献１】
特開２００１−２３０６８９号公報
【０００４】
【発明が解決しようとする課題】
しかしながら、２０１１年にアナログ放送が全面停止となるまでは、放送局はデジタル放送の放送チャンネルと同じ番組をアナログ放送で並行して放送する義務（サイマル放送）があるが、２００３年に開始が予定されている地上波用デジタルテレビ放送は、地域により放送開始時期が異なると予想され、その間視聴者は、従来通りのアナログ放送で視聴を続けなければならないため、特許文献１の地上波放送受信装置では、デジタル放送が受信可能になったとしても気づかないと想定される。
【０００５】
また、特許文献１の地上波放送受信装置では、地上波アナログ放送の停波後に、アナログ放送の放送チャンネルの選局を行った場合、アナログ放送を当然視聴することができず、視聴者の混乱を招くおそれが想定される。
【０００６】
本発明は、そのような状況に鑑みてなされたもので、地上波デジタル放送の開始時期においては、地上波アナログ放送を視聴中の視聴者に対してサイマル放送により地上波アナログ放送の放送チャンネルと同一番組が地上波デジタル放送側で視聴可能なことを通知することができ、また、地上波アナログ放送の終了時期においては、地上波アナログ放送の停波後も従来通りの番組が視聴できるように、地上波デジタル放送側の放送チャンネルに移行するようにメッセージを表示、若しくは地上波アナログ放送の放送チャンネルを地上波デジタル放送側の放送チャンネルに自動的に変えるため、地上波デジタル放送の開始時期或いは地上波アナログ放送の停波後における視聴者の混乱を防ぐことが可能なテレビジョン放送受信装置を提供することを目的とする。
【０００７】
【課題を解決するための手段】
本発明は、こうした課題を解決するためのテレビジョン放送受信装置を提供するもので、各請求項の発明は、以下の技術手段を構成する。
上記目的を達成するために、本発明のテレビジョン放送受信装置は、放送局からのデジタル放送信号及びアナログ放送信号を受信するサイマルテレビ放送用のテレビジョン放送受信装置であって、前記デジタル放送信号を受信するデジタル放送受信手段と、前記アナログ放送信号を受信するアナログ放送受信手段と、装置全体の制御を行う制御手段と、前記デジタル放送の放送チャンネル及び前記デジタル放送の放送チャンネルと同一番組のサイマル放送を放送している前記アナログ放送の放送チャンネルを対応づけたサイマルチャンネルデータを記憶した記憶領域を有する書き換え可能な不揮発性記憶手段とを具備し、前記制御手段が、前記デジタル放送受信手段で受信した前記デジタル放送信号から変更サイマルチャンネルデータを取得し、取得した前記変更サイマルチャンネルデータを前記不揮発性記憶手段の記憶領域に取り込んでダウンロードし、前記不揮発性記憶手段の記憶領域に記憶した前記サイマルチャンネルデータを前記変更サイマルチャンネルデータに更新するデータ更新処理を行う機能を備えたことを特徴とする構成を有するものである。
【０００８】
本発明によれば、デジタル放送の特徴の一つであるダウンロード機能を用いて、不揮発性記憶手段の記憶領域を更新することができる。
【０００９】
本発明のテレビジョン放送受信装置は、さらに、上記不揮発性記憶手段の記憶領域に記憶した上記サイマルチャンネルデータを更新する変更サイマルチャンネルデータを外部から取り込むためのデータ通信接続可能な接続手段を具備し、上記制御手段が、外部から前記接続手段を経由して取り込んだ変更サイマルチャンネルデータを前記不揮発性記憶手段の記憶領域に記憶した前記サイマルチャンネルデータと書き換えて、前記不揮発性記憶手段の記憶領域に記憶した前記サイマルチャンネルデータを前記変更サイマルチャンネルデータに更新するデータ更新処理を行う機能を備えている。
【００１０】
本発明によれば、外部から接続手段を経由して取り込んだ変更サイマルチャンネルデータを不揮発性記憶手段の記憶領域に記憶したサイマルチャンネルデータと書き換えて、制御手段による制御の基で、不揮発性記憶手段の記憶領域に記憶したサイマルチャンネルデータを変更サイマルチャンネルデータに更新するデータ更新処理を行うので、不揮発性記憶手段の記憶領域を更新することができる。
【００１１】
本発明のテレビジョン放送受信装置は、さらに、上記デジタル放送受信手段で受信したデジタル放送の映像信号或いは上記アナログ放送受信手段で受信したアナログ放送の映像信号を表示する表示手段と、前記表示手段の表示画面上に上記サイマル放送に関する情報をＯＳＤ（Ｏｎ  Ｓｃｒｅｅｎ  Ｄｉｓｐｌａｙ；オンスクリーンディスプレイ）表示させるＯＳＤ表示処理手段とを具備し、上記制御手段が、前記アナログ放送受信手段で受信したアナログ放送の放送チャンネルの選局後に、前記デジタル放送受信手段で前記アナログ放送の放送チャンネルと同一番組のサイマル放送中のデジタル放送信号を受信すると、前記ＯＳＤ表示処理手段を制御して、前記表示手段の表示画面上にサイマル放送中であることをメッセージにてＯＳＤ表示させる機能と、前記アナログ放送の放送チャンネルと同一番組のサイマル放送を行っているデジタル放送側の放送チャンネルに自動的に移行する機能とを備えている。
【００１２】
本発明によれば、上記のテレビジョン放送受信装置において、アナログ放送の放送チャンネルの選局後の視聴中に、デジタル放送受信手段でアナログ放送の放送チャンネルと同一番組のサイマル放送中のデジタル放送信号を受信すると、表示手段の表示画面上にサイマル放送中であることをメッセージにてＯＳＤ表示させるので、アナログ放送を視聴中の視聴者に対してサイマル放送によりアナログ放送の放送チャンネルと同一番組がデジタル放送側で視聴可能なことを通知することができ、視聴者が番組をアナログ放送側またはデジタル放送側で視聴するかを自由に選択することができ、さらに、アナログ放送の放送チャンネルと同一番組のサイマル放送を行っているデジタル放送側の放送チャンネルに自動的に移行するので、視聴者のアナログ放送側からデジタル放送側に変える手間を省くことができる。
【００１３】
本発明のテレビジョン放送受信装置は、上記制御手段が、上記アナログ放送の停波後に、前記アナログ放送の放送チャンネルの選局を試みた場合、上記ＯＳＤ表示処理手段を制御して、前記表示手段の表示画面上に前記アナログ放送の放送チャンネルと同一番組のサイマル放送を行っているデジタル放送側の放送チャンネルに移行するようにメッセージをＯＳＤ表示させる機能と、前記アナログ放送の放送チャンネルと同一番組のサイマル放送を行っていたデジタル放送側の放送チャンネルに自動的に移行する機能とを備えている。
【００１４】
本発明によれば、上記のテレビジョン放送受信装置において、アナログ放送の停波後に、アナログ放送の放送チャンネルの選局を試みた場合、表示手段の表示画面上にアナログ放送の放送チャンネルと同一番組のサイマル放送を行っているデジタル放送側の放送チャンネルに移行するようにメッセージをＯＳＤ表示させるので、アナログ放送の停波後も従来通りの番組がデジタル放送側で視聴可能なことを視聴者に対して通知することができ、さらに、アナログ放送の放送チャンネルと同一番組のサイマル放送を行っていたデジタル放送側の放送チャンネルに自動的に移行するので、視聴者のアナログ放送側からデジタル放送側に変える手間を省くことができる。
【００１５】
【発明の実施の形態】
以下、本発明の実施形態について図面を参照しながら詳細に説明する。
図１は、本発明に係る一実施形態のテレビジョン放送受信装置の構成を示す機能ブロック図である。
本発明のテレビジョン放送受信装置は、放送局からのデジタル放送信号及びアナログ放送信号を受信するサイマルテレビ放送用のサイマル放送テレビジョン受信機等の受信装置である。
本発明のテレビジョン放送受信装置は、デジタル放送信号を受信するデジタル放送受信手段であるデジタル放送受信部１９と、アナログ放送信号を受信するアナログ放送受信手段であるアナログ放送受信部２０と、装置全体の制御を行う制御手段であるＣＰＵ（Ｃｅｎｔｒａｌ  Ｐｒｏｃｅｓｓｉｎｇ  Ｕｎｉｔ）１２と、デジタル放送の放送チャンネル及びデジタル放送の放送チャンネルと同一番組のサイマル放送を放送しているアナログ放送の放送チャンネルを対応づけたサイマルチャンネルテーブルデータを記憶した記憶領域となるサイマルチャンネルテーブルデータベース（Ｄａｔａ  Ｂａｓｅ；ＤＢ）１６を有する書き換え可能な不揮発性記憶手段であるフラッシュメモリ（Ｆｌａｓｈ  Ｍｅｍｏｒｙ）１４とを具備し、ＣＰＵ１２が、デジタル放送受信部１９で受信したデジタル放送信号から変更サイマルチャンネルテーブルデータを取得し、取得した変更サイマルチャンネルテーブルデータをフラッシュメモリ１４内のサイマルチャンネルテーブルデータベース１６に取り込んでダウンロードし、フラッシュメモリ１４内のサイマルチャンネルテーブルデータベース１６に記憶したサイマルチャンネルテーブルデータを変更サイマルチャンネルテーブルデータに更新するデータ更新処理を行う機能を備えている。
【００１６】
本発明のテレビジョン放送受信装置は、さらに、フラッシュメモリ１４内のサイマルチャンネルテーブルデータベース１６に記憶したサイマルチャンネルテーブルデータを更新する変更サイマルチャンネルテーブルデータを外部から取り込むためのデータ通信接続可能な接続手段であるポート（Ｐｏｒｔ）１８を具備し、ＣＰＵ１２が、外部からポート１８を経由して取り込んだ変更サイマルチャンネルテーブルデータをフラッシュメモリ１４内のサイマルチャンネルテーブルテーブルデータベース１６に記憶したサイマルチャンネルテーブルデータと書き換えて、フラッシュメモリ１４内のサイマルチャンネルテーブルデータベース１６に記憶したサイマルチャンネルテーブルデータを変更サイマルチャンネルテーブルデータに更新するデータ更新処理を行う機能を備えている。
【００１７】
本発明のテレビジョン放送受信装置は、さらに、デジタル放送受信部１９で受信したデジタル放送の映像信号或いはアナログ放送受信部２０で受信したアナログ放送の映像信号を表示する表示手段であるＣＲＴ（Ｃａｔｈｏｄｅ  Ｒａｙ  Ｔｕｂｅ）等の表示部１１と、表示部１１の表示画面１１ａ上にサイマル放送に関する情報をＯＳＤ（Ｏｎ  Ｓｃｒｅｅｎ  Ｄｉｓｐｌａｙ；オンスクリーンディスプレイ）表示させるＯＳＤ表示処理手段であるＯＳＤ表示処理部１０とを具備し、ＣＰＵ１２が、アナログ放送受信部２０で受信したアナログ放送の放送チャンネルの選局後に、デジタル放送受信部１９でアナログ放送の放送チャンネルと同一番組のサイマル放送中のデジタル放送信号を受信すると、ＯＳＤ表示処理部１０を制御して、表示部１１の表示画面１１ａ上にサイマル放送中であることをメッセージにてＯＳＤ表示させる機能と、アナログ放送の放送チャンネルと同一番組のサイマル放送を行っているデジタル放送側の放送チャンネルに自動的に移行する機能とを備えている。
【００１８】
本発明のテレビジョン放送受信装置は、ＣＰＵ１２が、アナログ放送の停波後に、アナログ放送の放送チャンネルの選局を試みた場合、ＯＳＤ表示処理部１０を制御して、表示部１１の表示画面１１ａ上にアナログ放送の放送チャンネルと同一番組のサイマル放送を行っているデジタル放送側の放送チャンネルに移行するようにメッセージをＯＳＤ表示させる機能と、アナログ放送の放送チャンネルと同一番組のサイマル放送を行っていたデジタル放送側の放送チャンネルに自動的に移行する機能とを備えている。
【００１９】
本発明によるデジタル放送信号及びアナログ放送信号を受信するサイマルテレビ放送用のサイマル放送テレビジョン受信機等のテレビジョン放送受信装置の実施形態の一例を図１に基づいて以下に説明する。
図１において、１は放送局からのデジタル放送信号を受信するデジタル系アンテナ、２は受信したデジタル放送信号を所望のチャンネル周波数に同調させてデジタル放送の所定の放送チャンネルを選局するデジタル系チューナー部、３はデジタル放送のデジタル信号を音声信号，映像信号，データ信号に分けるデジタル系トランスポート（ＴＳ）デコーダ、４はデジタル放送の映像・音声信号のデータ復調を行うデジタル系映像・オーディオデコーダ部、５は放送局からのアナログ放送信号を受信するアナログ系アンテナ、６は受信したアナログ放送信号を所望のチャンネル周波数に同調させてアナログ放送の所定の放送チャンネルを選局するアナログ系チューナー部、７はアナログ放送のアナログ信号から音声信号，映像信号を取り出すアナログ系検波器、８はアナログ放送の映像・音声信号のデータ復調を行うアナログ系映像・オーディオデコーダ部、９はデジタル放送のビデオ・音声信号、若しくはアナログ放送のビデオ・音声信号のどちらか一方を受信できるように切替えを行う切替部、１０はサイマル放送に関する情報をアナログ放送の映像信号と重畳して表示部１１に対してＯＳＤ表示させるＯＳＤ表示処理を行うＯＳＤ表示処理部、１１はデジタル放送の映像信号、若しくはアナログ放送の映像信号を表示するテレビジョン受像機としてのＣＲＴ等の表示部、１２は装置全体の制御を行うＣＰＵ、１３はＣＰＵ１２を動作させるのに必要なシステムソフトウェアを展開・実行するプログラムを格納したＲＡＭ（ＲａｎｄｏｍＡｃｃｅｓｓ  Ｍｅｍｏｒｙ）、１４はサイマル放送のサイマルチャンネルテーブルデータを書き換え可能なフラッシュメモリ（Ｆｌａｓｈ  Ｍｅｍｏｒｙ）、１５はシステムソフトウェアを記憶するシステムソフト記憶領域、１６はサイマル放送のサイマルチャンネルテーブルデータを記憶する記憶領域となるサイマルチャンネルテーブルデータベース、１７はユーザーが操作入力する入力インタフェイス（Ｉ／Ｆ）、１８は外部のＰＣ−ＣＡＲＤ，ＲＳ−２３２Ｃ，Ｅｔｈｅｒ−Ｎｅｔ（登録商標），ＴＥＬ等からサイマル放送の変更サイマルチャンネルテーブルデータを取り込むためのポート（Ｐｏｒｔ）、１９はデジタル放送を受信するためのデジタル放送受信部、２０はアナログ放送を受信するためのアナログ放送受信部である。
【００２０】
テレビジョン放送受信装置は、図１に示すように、デジタル系アンテナ１と、デジタル放送受信部１９と、アナログ系アンテナ５と、アナログ放送受信部２０と、切替部９と、ＯＳＤ表示処理部１０と、表示部１１と、ＣＰＵ１２と、ＲＡＭ１３と、フラッシュメモリ１４と、入力インタフェイス１７と、ポート１８とから構成されている。
【００２１】
デジタル放送受信部１９は、デジタル系チューナー部２と、デジタル系トランスポートデコーダ３と、デジタル系映像・オーディオデコーダ部４とを備えている。
【００２２】
アナログ放送受信部２０は、アナログ系チューナー部６と、アナログ系検波器７と、アナログ系映像・オーディオデコーダ部８とを備えている。
【００２３】
フラッシュメモリ１４は、図１に示すように、システムソフト記憶領域１５と、サイマルチャンネルテーブルデータベース１６とを有している。
【００２４】
図１に示すテレビジョン放送受信装置において、デジタル系アンテナ１で受信された放送局からのデジタル放送信号は、デジタル放送受信部１９のデジタル系チューナー部２に入力される。
【００２５】
デジタル放送受信部１９のデジタル系チューナー部２では、視聴者の指示に従ってデジタル系アンテナ１で受信したデジタル放送信号を所望のチャンネル周波数に同調させてデジタル放送の所定の放送チャンネルが選局され、そのデジタル信号は、デジタル放送受信部１９のデジタル系トランスポートデコーダ３にて、音声信号，映像信号，データ信号に分けられる。
【００２６】
さらに、デジタル放送受信部１９のデジタル系映像・オーディオデコーダ部４にて、デジタル放送の映像・音声信号のデータ復調が行われ、テレビジョン受像機に適したビデオ信号に復調が行われる。
【００２７】
また、アナログ系アンテナ５で受信された放送局からのアナログ放送信号は、アナログ放送受信部２０のアナログ系チューナー部６に入力される。
【００２８】
アナログ放送受信部２０のアナログ系チューナー部６では、視聴者の指示に従ってアナログ系アンテナ５で受信したアナログ放送信号を所望のチャンネル周波数に同調させてアナログ放送の所定の放送チャンネルが選局され、そのアナログ信号は、アナログ放送受信部２０のアナログ系検波器７にて、音声信号，映像信号を取り出される。
【００２９】
さらに、アナログ放送受信部２０のアナログ系映像・オーディオデコーダ部８にて、アナログ放送の映像・音声信号のデータ復調が行われ、テレビジョン受像機に適したビデオ信号に復調が行われる。
【００３０】
切替部９については、デジタル放送のビデオ・音声信号、若しくは、アナログ放送のビデオ・音声信号のどちらか一方を受信できるように切替えを行う。
【００３１】
ＯＳＤ表示処理部１０については、サイマル放送に関する情報をアナログ放送の映像信号と重畳されてテレビジョン受像機としてのＣＲＴ等の表示部１１に対してＯＳＤ表示させるＯＳＤ表示処理を行う。
【００３２】
ＣＰＵ１２については、ユーザー操作による入力インタフェイス１７から送られるコントロール信号とフラッシュメモリ１４内のシステムソフト記憶領域１５に記憶されたシステムソフトウェアに管理・制御され、チューナー選局、または、テレビジョン放送受信装置全体の制御を司る。
【００３３】
フラッシュメモリ１４内のサイマルチャンネルテーブルデータベース１６については、デジタル放送とアナログ放送で同一番組を放送している放送チャンネルを対応づけたサイマル放送のサイマルチャンネルのテーブルであり、書き換え可能なフラッシュメモリ１４の一部に存在し、ＣＰＵ１２による制御の基に、外部のＰＣ−ＣＡＲＤ，ＲＳ−２３２Ｃ，Ｅｔｈｅｒ−Ｎｅｔ，ＴＥＬ等からポート１８を経由して取り込んだ変更サイマルチャンネルテーブルデータをフラッシュメモリ１４内のサイマルチャンネルテーブルテーブルデータベース１６に記憶したサイマルチャンネルテーブルデータと書き換え、フラッシュメモリ１４内のサイマルチャンネルテーブルデータベース１６のサイマルチャンネルテーブルデータの更新を行う。
【００３４】
若しくは、ＣＰＵ１２による制御の基に、受信したデジタル放送信号から取得した変更サイマルチャンネルテーブルデータをフラッシュメモリ１４内のサイマルチャンネルテーブルデータベース１６に取り込んでダウンロードし、デジタル放送の特徴の一つであるダウンロード機能を用いることにより、フラッシュメモリ１４内のサイマルチャンネルテーブルデータベース１６のサイマルチャンネルテーブルデータの更新を行う。
【００３５】
図２は、本発明に係る一実施形態のテレビジョン放送受信装置におけるサイマル放送時のアナログ放送の放送チャンネルからデジタル放送の放送チャンネルへの切替えを行うまでのプロセス（アナログ放送受信時に、デジタル側でサイマル放送がある場合）を説明するフローチャートである。
まず、ユーザー操作によってアナログ放送の放送チャンネルを受信し選局後（ステップＳ１００）、デジタル放送受信部１９でアナログ放送の放送チャンネルと同一番組のサイマル放送中のデジタル放送信号を受信すると、ＣＰＵ１２による制御の基で、フラッシュメモリ１４内のサイマルチャンネルテーブルデータベース１６を参照し（ステップＳ１０１）、デジタル側の放送チャンネルを取得し、次いで、ステップＳ１０２に移行し、アナログ放送の放送チャンネルと同一番組のデジタル放送の放送チャンネルをデジタル放送受信部１９のデジタル系チューナー部２で選局可能となる。
【００３６】
ステップＳ１０２では、ＣＰＵ１２がフラッシュメモリ１４内のサイマルチャンネルテーブルデータベース１６にデジタル放送側のサイマル放送の放送チャンネルが有るかを判断する。
フラッシュメモリ１４内のサイマルチャンネルテーブルデータベース１６にデジタル放送側のサイマル放送の放送チャンネルが有る場合（ステップＳ１０２“ＹＥＳ”）、次のステップＳ１０３に移行する。
また、フラッシュメモリ１４内のサイマルチャンネルテーブルデータベース１６にデジタル放送側のサイマル放送の放送チャンネルが無い場合（ステップＳ１０２“ＮＯ”）、引き続きアナログ放送を視聴する。
【００３７】
ステップＳ１０３では、サイマル放送を受信しデジタル放送の放送チャンネルを選局可能であるかを判断する。
サイマル放送を受信しデジタル放送の放送チャンネルを選局可能である場合（ステップＳ１０３“ＹＥＳ”）、ＣＰＵ１２がＯＳＤ表示処理部１０を制御し、表示部１１の表示画面１１ａ上にアナログ放送の映像信号と重畳してサイマル放送中のデジタル放送が視聴可能であることをメッセージにてＯＳＤ表示させ、視聴者にデジタル放送でも視聴可能なことを通知する。
また、サイマル放送を受信しデジタル放送の放送チャンネルを選局可能でない場合（ステップＳ１０３“ＮＯ”）、引き続きアナログ放送を視聴する。
【００３８】
図３は、本発明に係る一実施形態のテレビジョン放送受信装置におけるサイマル放送時のアナログ放送の放送チャンネルからデジタル放送の放送チャンネルへの切替えを行うまでのプロセス（アナログ放送で選局を試み停波だった時に、デジタル側で元のサイマル放送がある場合）を説明するフローチャートである。
まず、ユーザー操作によってアナログ放送の放送チャンネルの選局を行ったが停波であった場合（ステップＳ２００）、デジタル側で元のサイマル放送があると、ＣＰＵ１２による制御の基で、フラッシュメモリ１４内のサイマルチャンネルテーブルデータベース１６を参照し（ステップＳ２０１）、デジタル側の放送チャンネルを取得し、次いで、ステップＳ２０２に移行し、アナログ放送の放送チャンネルと同一番組のデジタル放送の放送チャンネルをデジタル放送受信部１９のデジタル系チューナー部２で選局可能となる。
【００３９】
ステップＳ２０２では、ＣＰＵ１２がフラッシュメモリ１４内のサイマルチャンネルテーブルデータベース１６にデジタル放送側の元のサイマル放送の放送チャンネルが有るかを判断する。
フラッシュメモリ１４内のサイマルチャンネルテーブルデータベース１６にデジタル放送側の元のサイマル放送の放送チャンネルが有る場合（ステップＳ２０２“ＹＥＳ”）、次のステップＳ２０３に移行する。
また、フラッシュメモリ１４内のサイマルチャンネルテーブルデータベース１６にデジタル放送側の元のサイマル放送の放送チャンネルが無い場合（ステップＳ２０２“ＮＯ”）、ＣＰＵ１２がＯＳＤ表示処理部１０を制御し、表示部１１の表示画面１１ａ上にアナログ放送を受信できないことをメッセージにてＯＳＤ表示させ、視聴者にアナログ放送は選局できないことを通知する。
【００４０】
ステップＳ２０３では、サイマル放送を受信しデジタル放送の放送チャンネルを選局可能であるかを判断する。
サイマル放送を受信しデジタル放送の放送チャンネルを選局可能である場合（ステップＳ２０３“ＹＥＳ”）、ＣＰＵ１２がＯＳＤ表示処理部１０を制御し、表示部１１の表示画面１１ａ上にデジタル放送での視聴が可能であることをメッセージにてＯＳＤ表示させ、視聴者にデジタル放送で視聴するように通知を行う。
また、サイマル放送を受信しデジタル放送の放送チャンネルを選局可能でない場合（ステップＳ２０３“ＮＯ”）、ＣＰＵ１２がＯＳＤ表示処理部１０を制御し、表示部１１の表示画面１１ａ上にアナログ放送を受信できないことをメッセージにてＯＳＤ表示させ、視聴者にアナログ放送は選局できないことを通知する。
【００４１】
【発明の効果】
上記にて説明された本発明により以下の効果がもたらされる。
本発明によれば、地上波デジタル放送の開始時期においては、地上波アナログ放送を視聴中の視聴者に対してサイマル放送により地上波アナログ放送の放送チャンネルと同一番組が地上波デジタル放送側で視聴可能なことを通知することができ、また、地上波アナログ放送の終了時期においては、地上波アナログ放送の停波後も従来通りの番組が視聴できるように、地上波デジタル放送側の放送チャンネルに移行するようにメッセージを表示、若しくは地上波アナログ放送の放送チャンネルを地上波デジタル放送側の放送チャンネルに自動的に変えるため、地上波デジタル放送の開始時期或いは地上波アナログ放送の停波後における視聴者の混乱を防ぐことが可能なテレビジョン放送受信装置を得ることができる。
【図面の簡単な説明】
【図１】本発明に係る一実施形態のテレビジョン放送受信装置の構成を示す機能ブロック図。
【図２】本発明に係る一実施形態のテレビジョン放送受信装置におけるサイマル放送時のアナログ放送の放送チャンネルからデジタル放送の放送チャンネルへの切替えを行うまでのプロセス（アナログ放送受信時に、デジタル側でサイマル放送がある場合）を説明するフローチャート。
【図３】本発明に係る一実施形態のテレビジョン放送受信装置におけるサイマル放送時のアナログ放送の放送チャンネルからデジタル放送の放送チャンネルへの切替えを行うまでのプロセス（アナログ放送で選局を試み停波だった時に、デジタル側で元のサイマル放送がある場合）を説明するフローチャート。
【符号の説明】
１  デジタル系アンテナ
２  デジタル系チューナー部
３  デジタル系トランスポートデコーダ
４  デジタル系映像・オーディオデコーダ部
５  アナログ系アンテナ
６  アナログ系チューナー部
７  アナログ系検波器
８  アナログ系映像・オーディオデコーダ部
９  切替部
１０  ＯＳＤ表示処理部（ＯＳＤ表示処理手段）
１１  表示部（表示手段）
１１ａ  表示画面
１２  ＣＰＵ（制御手段）
１３  ＲＡＭ
１４  フラッシュメモリ（不揮発性記憶手段）
１５  システムソフト記憶領域
１６  サイマルチャンネルテーブルデータベース
１７  入力インタフェイス
１８  ポート（接続手段）
１９  デジタル放送受信部（デジタル放送受信手段）
２０  アナログ放送受信部（アナログ放送受信手段）
【図１】
2004320449.tif 000003
【図２】
2004320449.tif 000004
【図３】
2004320449.tif 000005